【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
両側部で繋げられた前壁部と背壁部と、前記前壁部または前記背壁部に設けられた折り込み部と、前記前壁部と前記背壁部とを合わせた状態で折り畳み可能とすべく前壁部と背壁部とに設けられた折り線と、から成ることを特徴とする折り畳み式のスタンド型表示体。
【請求項２】
前記折り線が複数個形成されており、その折り線の幅が折り畳む順に太く成るように設けられている、請求項１に記載の折り畳み式のスタンド型表示体。
【請求項３】
前記折り線が複数個形成されており、その折り線で分割されたコマに付いて、折り畳みの順に折り線間の距離が大きく成るように設けられている、請求項１に記載の折り畳み式のスタンド型表示体。
【請求項４】
前記折り込み部の端部が前記両側部より適宜幅で内側に設けられている、請求項１に記載の折り畳み式のスタンド型表示体。
【請求項５】
前記折り込み部を形成する溝に幅が設けられている、請求項１に記載の折り畳み式のスタンド型表示体。
【請求項６】
前記折り込み部の中央付近に指を掛けるための切欠部が設けられている、請求項１に記載の折り畳み式のスタンド型表示体。
【請求項７】
前記側部に側壁部が設けられている、請求項１に記載の折り畳み式のスタンド型表示体。
【請求項８】
前記前壁部及び前記背壁部の底部が下方に突出する円弧状に設けられている、請求項１に記載の折り畳み式のスタンド型表示体。
【請求項９】
底部付近におもりが取り付けられている、請求項１に記載の折り畳み式のスタンド型表示体。
【請求項１０】
底部付近に支台が取り付けられている、請求項１に記載の折り畳み式のスタンド型表示体。
【手続補正２】
【補正対象書類名】明細書
【補正対象項目名】全文
【補正方法】変更
【補正の内容】
【発明の名称】折り畳み式のスタンド型表示体
【発明の詳細な説明】
【技術分野】
【０００１】
この発明は前壁部と背壁部との間を脹らませて自立出来るようにし且つ収納時や運搬時には折り畳んで小さくすることが出来るようにした、スタンド型表示体に関する。
【背景技術】
【０００２】
紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの上下端部を外側に突出する円弧状に成形し、この円弧状の突出片をやはり円弧状の折り線を付けるようにして内側へ折り込むことによって、円筒に近い形状のものを形成することが出来る。
【０００３】
このようにして形成される略円筒は、図面などの書類を丸めて入れる紙管などとして利用されている。
【０００４】
ところでこのような略円筒を立ててスタンド型表示体として利用しようと考えた時に問題となるのがその両端部の円弧部分であり、このままでは自立させることが出来ないため、この少なくとも下側と成る端部を略円筒に対して直角に切断したものとしなくてはならない。すると前記円弧状の突出片に代わって略円筒形状を保つものを端部にではなく中側に設ける必要がある。
【特許文献１】
特になし
【考案の開示】
【発明が解決しようとする課題】
【０００５】
さてこのようにして形成されるスタンド型表示体であるが、小は商品の宣伝用スタンドから大は等身大あるいはそれ以上の大型の広告塔などへの用途がある。しかしながら大型のものになればなるほど、運搬時や収納時に嵩張り取り扱いが容易でないと言う問題を生ずる。
【０００６】
従ってこの発明では、運搬や収納が楽であり且つ組み立てや撤去が容易であるようなスタンド型表示体の提供を課題とする。
【課題を解決するための手段】
【０００７】
上記の課題は、両側部で繋げられた前壁部と背壁部と、前記前壁部または前記背壁部に設けられた折り込み部と、前記前壁部と前記背壁部とを合わせた状態で折り畳み可能とすべく前壁部と背壁部とに設けられた折り線と、から成ることを特徴とする折り畳み式のスタンド型表示体とすることによって達成される。前壁部と背壁部とが両側部で繋げられていると言う場合、前壁部と背壁部とが別体でありそれ等が重合されて両側部で接着や蝶番止めが為されているもの、２つ折りによって前壁部と背壁部とが形成され両端部が接着されているもの、円筒を平らに潰して両側の折り目から前壁部と背壁部とが形成されているものなどを上げることが出来る。前壁部や背壁部の素材は任意であり、紙、合成樹脂板、金属板、木板等を必要に応じて選択したり混用することが可能である。また前記折り線、すなわち折り込み片は横向きだけでなく縦向きに形成することも可能である。
【０００８】
前記折り込み部を内側へ折り込むと折り込み片が形成されるが、この折り込み片が相対する側の壁部を押すため、前壁部と背壁部との間隔がこの折り込み片の分だけ開いて結果的に膨らみ立体化しこれにより全体が自立可能な状態と成る。また膨らみが円に近くなるほど剛性が大きくなるため丈の高いものを提供することが出来る。前記折り込み部は前壁部または背壁部に折り込み片が形作られるようにその周囲に切り込みを設けて成るものであり、実質的に単なる切り込み片であるため、幾つ設けても重量が増加したり重心位置が変化するようなことが起こらず、追加部品を必要とせず、コストが安いと言う特長を有する。なお前記折り込み部の折り目と成る部位をミシン目として構成してもよい。
【０００９】
また前記内側へ折り込まれた折り込み部を元の状態に引き戻すことによって、前記前壁部と前記背壁部とを合わせた平らな状態にすることが出来る。更に前記折り線から折り返すことにより、全体をコンパクトに折り畳んで運搬したり収納したりすることが出来るように成る。
【００１０】
次に前記折り線が複数個形成されており、その折り線の幅が折り畳む順に太く成るように設けられているものとすることが出来る。これはすなわち折り畳みの回数が増えると厚みが増すため、次の折り返し線を太く取ることによって綺麗に折り畳めるようにしようと言う工夫である。
【００１１】
次に前記折り線が複数個形成されており、その折り線で分割されたコマに付いて、折り畳みの順に折り線間の距離が大きく成るように設けられているものとすることが出来る。後述する通り、また図１で表わされている通り、潰れて平面状体と成っている状態で折り線間の距離が一番小さいコマから折り畳んで行くようにするが、折り畳みが進行するに連れて厚さが増して行くため、折り畳みによる厚さの増加分を次のコマの折り線間の距離を広げることで吸収することが出来、結果的に綺麗に折り畳んだ状態とすることが可能である。
【００１２】
次に前記折り込み部の端部が前記両側部より適宜幅で内側に設けられているものとすることが出来る。前記折り込み部の端部が前壁部や背壁部の両側部にまで至って形成されている場合よりは両側部から少しでも離して設けられている方が内側へ折り込みやすい。
【００１３】
次に前記折り込み部を形成する溝に幅が設けられているものとすることが出来る。前記折り込み部を内側へ折り込む際にこの溝の両縁部が擦れ合って折り込みにくい状況が発生することがあるが、この溝に幅を付けることによって擦れ合いを緩和することが可能と成る。例えば略Ｕ字形状の折り込み部であるならばその両側の溝に幅を設けるとよい。また溝の両端部を円形に切り抜くことでこの部位を裂けにくくすることが出来る。
【００１４】
次に前記折り込み部の中央付近に指を掛けるための切欠部が設けられているものとすることが出来る。前記折り込み部を内側へ折り込むと折り込み片が形成されるが、この折り込み片の先端部分が相対する側の壁部を押しているため、この折り込み部を元の状態に引き戻すに際して指が掛けにくいと言う問題があるが、前記切欠部があればここに指を掛けて楽々と折り込み片を戻すことが出来るのである。
【００１５】
次に前記側部に側壁部が設けられているものとすることが出来る。この構成によってこの発明のスタンド型表示体に単に円筒形状だけでなく種々の形状的バリエーションを与えることが出来るのである。
【００１６】
次に前記前壁部及び前記背壁部の底部が下方に突出する円弧状に設けられているものとすることが出来る。前記前壁部及び前記背壁部の底部が直線状に形成されている場合では、前壁部と背壁部とを膨らませることによってその底部が床面に密着しなくなり、設置した時の姿勢が不安定になる。前壁部と背壁部との膨らみの度合は前記折り込み片の大きさに依存するが、両壁部の底部の形状を下方に突出する円弧状にすることによって、前記底部を床面に密着しやすくさせることが可能と成る。これにより設置姿勢を安定化させることが可能と成る。なお前記底部の円弧の曲率は両壁部の膨らみの度合に合わせるようにする。
【００１７】
次に底部付近におもりが取り付けられているものとすることが出来る。おもりの作用によって設置の安定度を高めることが出来る。おもりとしては金属製重錘の他に両壁部間に填めることが出来るように形成された紙製の円筒や三角筒などを上げることが可能である。
【００１８】
次に底部付近に支台が取り付けられているものとすることが出来る。この支台が設置姿勢を安定にする作用を有する。この支台には設置する床面に面で接触するものや突っ張りなどを上げることが出来る。
【発明の効果】
【００１９】
以上この発明は、両側部で繋げられた前壁部と背壁部と、前記前壁部または前記背壁部に設けられた折り込み部と、前記前壁部と前記背壁部とを合わせた状態で折り畳み可能とすべく前壁部と背壁部とに設けられた折り線と、から成ることを特徴とする折り畳み式のスタンド型表示体としたものである。前記折り線から折り返すことによって全体をコンパクトに折り畳むことが出来る。
【００２０】
この結果、運搬や収納が楽であり組み立てや撤去が容易であるようなスタンド型表示体を提供することに成功し、所期の目的を達成している。
【発明を実施するための最良の形態】
【００２１】
以下ではこの発明の幾つかの実施の形態に付いて図面を参照しながら説明するが、この発明はこれ等の実施の形態にのみ限定されるものではない。
【００２２】
第１実施形熊
この発明のスタンド型表示体は、筒状体に単純に折り込み片２５を設けただけであって、他に特別な部品を追加していないため、背丈を高くして行っても比較的安定して自立させることが出来る。しかしながら大きいだけあって折り畳みが難しくなる虞れがある。そこでこの実施形態ではこのような問題を解決する。
【００２３】
図１はこの実施形態の斜視図である。ここで用いる筒状体に付いては次の第２実施形態で説明するが、この筒状体の全体を折り線によって４分割して成るものであり、最下段を除いた各コマに前記折り込み部２３を設けて成る。更に折り線としてはその幅が下から上に順次太くなるようにした折り線３，３０，３１が設けられている。なお図１で表わされている通り、折り線３，３０，３１で分割されたコマに付いて、折り畳みの順に折り線間の距離が大きく成るように設けられている。すなわち筒状体の下端部と折り線３との間の距離よりも折り線３と折り線３０との間の距離の方が、また折り線３と折り線３０との間の距離よりも折り線３０と折り線３１との間の距離の方が、その間の距離が大きく成るように設けられているのである。
【００２４】
従ってこの実施形態のスタンド型表示体に於いては、筒状体が潰れて平面状体と成っている状態で最下段のコマから順に折り畳んで行くようにする。折り畳みが進行するに連れて厚さが増して行くが、折り線３よりは折り線３０、また折り線３０よりは折り線３１の方がその幅が広く取られているために、折り畳みによる厚さの増加分をここで吸収することが出来、結果的に綺麗に折り畳んだ状態とすることが可能である。なお折り畳みによる厚さの増加分は、図１で表わされているように、コマの折り線間の距離を広げることでも吸収してる。
【００２５】
第２実施形態
次に図２及び図３でこの実施形態を表わすように、１枚の厚紙をその両側部で接着して筒状に成形すると共に、この接着部を一側としてこの筒状体を潰して、前壁部１と背壁部２とを形成して成る。図中の符号１０は前記前壁部１の頂部が背壁部２の頂部（実は後述する折り込み部２０のラインである）よりも突出された冠部１０を指す。また前壁部１と背壁部２とが潰れた平面状体の時に２つ折り可能と成るように中央部に折り線３が設けられている。更に背壁部２の中央部には下側の折り込み部２３と両側及び上側の切り込み溝２４とから構成される折り込み片２５が設けられている。同様に前記背壁部２の頂部には折り込み部２０が形成されている。
【００２６】
前壁部１と背壁部２とが潰れた平面状体では、図３で示すように前記折り線３から２つ折りにすることが出来る。この状態から図２に示す立体構造に変化させるには、まず前記折り線３からの２つ折りを解いて細長い状態にして、次に前記折り込み片２５を折り込み部２３から内側に折り込むようにすると、折り込み片２５の先端部が前壁部１の背面壁を押して前壁部１と背壁部２との間を膨らませるように作用する。同様に前記背壁部２の頂部が折り込み部２０から内側に折り込まれることによって、折り込み片２２の先端部の突き当て部２１が前壁部１の背面壁を押して前壁部１と背壁部２との間を膨らませるように作用する。これによりこの実施形態のスタンド型表示体を自立させることが出来るのである。またこの状態から畳むには先ほどと逆の手順で、まず前記折り込み片２５を引き出して、前壁部１と背壁部２との間を潰し平面状体とし、前記折り線３から２つ折りにすればよい。従って運搬や収納が単に前壁部１と背壁部２との間を潰しただけのものとは異なり容易である。
【００２７】
なおこの実施形態では前記折り込み部２３の端部が前記両側部より内側に設けられている。これは内側へ折り込みやすくするための工夫であるが、この部位が前記折り込み部２１のように両側部に至るように形成してもよいことは言うまでもない。
【００２８】
第３実施形態
図４はこの発明の第３実施形態を表わす模式図である。前記側部に側壁部４，４が設けられており、また折り込み片２５の先端部の中央部分に指が入る大きさの切欠部２６が設けられている。
【００２９】
この構成によってこの発明のスタンド型表示体の形状を上述した略円筒形以外のものとすることが出来る。すなわち筒の形状にバリエーションが与えられるのである。また折り込み片２５の先端部に切欠部２６が設けられていることによって、折り込み片２５と前壁部１の背面壁との間に指が入る隙間が出来、これにより折り畳みの作業が楽なものと成っている。
【００３０】
第４実施形態
図５はこの発明の第４実施形態を表わす部分背面図である。前壁部１及び背壁部２の底部が下方に円弧状を呈する突出部２７とされている。この構成によって底部を床面に密着しやすくさせることが出来る。これにより設置姿勢を安定化させられるのである。
【００３１】
またこの実施形態の折り込み部は幅のある切り込み溝２８で構成されており、その両端部は円形溝２９とされている。これは折り込み片２５を内側へ折り込む際に作業を楽にする工夫である。この切り込み溝２８の両縁部は互いに擦り合うようなことが起こらずフリーであるため、折り込みに力が要らず作業が楽なのである。また前記円形溝２９によれば、折り込み片２５がこの端部から裂けるようなことが起こりにくく成っている。
【００３２】
第５実施形態
さてこの発明のスタンド型表示体は、そのままでも自立させることが可能であるが、これを更に安定させたいとする要望もある。この実施形態と次の第６実施形態ではこの課題を解決する。
【００３３】
図６は両側部で繋げられた前壁部１と背壁部２とが脹らまされた状態を表わすが、この底部におもり５をはめ込んでいる点に特徴がある。このおもり５は長方形の厚紙を折り込んで３角柱状に成形したものであり、一定の重量がありおもりとしての役割を果たす。
【００３４】
第６実施形態
次にこの実施形態のスタンド型表示体では、前壁部１及び背壁部２の底部分に２条の差し込み溝２００が形成されており、ここに平板の支台６から立設された２個の差し込み片６０を差し込み得るように構成されている。従ってスタンド型表示体は支台６に仮固定されるが、支台６は面積が広いためこのスタンド型表示体を安定的に支える作用がある。
【産業上の利用可能性】
【００３５】
なおこの発明は上述の実施形態に限定されないから、例えば前記前壁部または前記背壁部にこの壁部が湾曲した時に壁部の一部を浮き出させるための切り込み部を設けることが可能である。また湾曲する壁部分に平板を貼り付けるなどしてこの平面を宣伝に利用することが可能である。また前記折り線の一部が切り込み線であるものとすることが出来る。前壁部と背壁部とが両側部で繋げられたものを折り返そうとすると、前記折り線の部分が膨らんで全く平らな状態に折り畳むことが出来にくく成るが、前記折り線の一部に切り込みを設けることによりこの膨らみを逃がすことが出来るのである。これは３つ折り以上に折り畳む場合にも有効である。
【図面の簡単な説明】
【００３６】
【図１】第１実施形態の斜視図である。
【図２】第２実施形態の斜視図である。
【図３】同実施形態の使用状態説明図である。
【図４】第３実施形態の模式図である。
【図５】第４実施形態の部分背面図である。
【図６】第５実施形態の模式図である。
【図７】第６実施形態の部分背面図である。
【符号の説明】
【００３７】
１    前壁部
１０  冠部
２    背壁部
２０  折り込み部
２１  突き当て部
２２  折り込み片
２３  折り込み部
２４  切り込み溝
２５  折り込み片
２６  切欠部
２７  突出部
２８  切り込み溝
２９  円形溝
２００差し込み溝
３    折り線
３０  折り線
３１  折り線
４    側壁部
５    おもり
６    支台
６０  差し込み片


【手続補正３】
【補正対象書類名】図面
【補正対象項目名】全図
【補正方法】変更
【補正の内容】
【図１】
2004354956.tif 000001
【図２】
2004354956.tif 000002
【図３】
2004354956.tif 000003
【図４】
2004354956.tif 000004
【図５】
2004354956.tif 000005
【図６】
2004354956.tif 000006
【図７】
2004354956.tif 000007